(57)【要約】【課題】優れた開封操作性を具備させる。【解決手段】内容物が収容されるとともに、上端開口部１１ｃが第１シール材１３によって封止されたカップ本体１１と、第１シール材１３を上方から覆う蓋体１２と、を備える蓋付カップ容器１であって、蓋体１２は、有頂筒状に形成されるとともに、その内部が添加剤の収容される収容室１５とされ、かつ下端開口部１２ｂが第２シール材１６によって封止され、蓋体１２の頂壁部１７には、第３シール材２７によって上方から閉塞されるとともに、ストロー３０が挿通される挿通孔１８が形成され、蓋体１２には、挿通孔１８内に配置されるとともに、基端部がヒンジ部２１を介して蓋体１２に連結され、かつ先端部に第２シール材１６に向けて突出する刃部２２が形成された切刃部材２３が備えられ、切刃部材２３の上面には、ストロー３０の先端が係止される係止部２５が形成されている。【選択図】図１
2015067288.tif 000002
【特許請求の範囲】
【請求項１】
内容物が収容されるとともに、上端開口部が第１シール材によって封止されたカップ本体と、
前記第１シール材を上方から覆う蓋体と、
を備える蓋付カップ容器であって、
前記蓋体は、有頂筒状に形成されるとともに、その内部が添加剤の収容される収容室とされ、かつ下端開口部が第２シール材によって封止され、
前記蓋体の頂壁部には、第３シール材によって上方から閉塞されるとともに、ストローが挿通される挿通孔が形成され、
前記蓋体には、前記挿通孔内に配置されるとともに、基端部がヒンジ部を介して前記蓋体に連結され、かつ先端部に前記第２シール材に向けて突出する刃部が形成された切刃部材が備えられ、
前記切刃部材の上面には、前記ストローの先端が係止される係止部が形成されていることを特徴とする蓋付カップ容器。
【発明の詳細な説明】
【技術分野】
【０００１】
本発明は、蓋付カップ容器に関するものである。
【背景技術】
【０００２】
従来から、例えば下記特許文献１に示されるような、蓋体に形成された挿通孔にストローを挿し込んで、カップ本体内の内容物をストローを通して吸い上げる蓋付カップ容器が知られている。また、例えば下記特許文献２に示されるような、添加剤が収容された副容器が蓋体に離脱自在に装着された蓋付カップ容器も知られている。
【先行技術文献】
【特許文献】
【０００３】
【特許文献１】実公平０６−２８４３３号公報
【特許文献２】実公平０６−３４３１０号公報
【発明の概要】
【発明が解決しようとする課題】
【０００４】
しかしながら、前記従来の蓋付カップ容器では、カップ本体を開封する操作と、添加剤をカップ本体内に添加する操作と、を各別に行う必要があり、開封時の操作性に改善の余地があった。
【０００５】
本発明は、このような事情を考慮してなされたもので、優れた開封操作性を具備させることができる蓋付カップ容器を提供することを目的とする。
【課題を解決するための手段】
【０００６】
上記課題を解決して、このような目的を達成するために、本発明の蓋付カップ容器は、内容物が収容されるとともに、上端開口部が第１シール材によって封止されたカップ本体と、前記第１シール材を上方から覆う蓋体と、を備える蓋付カップ容器であって、前記蓋体は、有頂筒状に形成されるとともに、その内部が添加剤の収容される収容室とされ、かつ下端開口部が第２シール材によって封止され、前記蓋体の頂壁部には、第３シール材によって上方から閉塞されるとともに、ストローが挿通される挿通孔が形成され、前記蓋体には、前記挿通孔内に配置されるとともに、基端部がヒンジ部を介して前記蓋体に連結され、かつ先端部に前記第２シール材に向けて突出する刃部が形成された切刃部材が備えられ、前記切刃部材の上面には、前記ストローの先端が係止される係止部が形成されていることを特徴とする。
【０００７】
この発明によれば、ストローの先端を切刃部材の係止部に係止した状態で、ストローを下方に向けて押し込むと、切刃部材がヒンジ部回りに下方に向けて回動し、ストローが挿通孔に挿し込まれながら、刃部が第２シール材及び第１シール材をこの順に破断することにより、収容室内とカップ本体内とが連通し、収容室内の添加剤がカップ本体内に流入する。
このように、ストローの先端で切刃部材を下方に押し込みながら、ストローを挿通孔に挿し込む操作だけで、カップ本体の開封、及び添加剤の添加を双方ともに行うことが可能になり、優れた開封操作性を具備させることができる。
さらに、以上のような開封操作時に、ストローの先端が切刃部材の係止部に係止されることから、切刃部材に対するストローの先端の位置が安定することとなり、ストローの下降移動に、切刃部材のヒンジ部回りの下方に向けた回動を確実に追従させることができる。
【発明の効果】
【０００８】
本発明によれば、ストローの先端で切刃部材を下方に押し込みながら、ストローを挿通孔に挿し込む操作だけで、添加剤の添加、及びカップ本体の開封を双方ともに行うことが可能になり、優れた開封操作性を具備させることができる。
【図面の簡単な説明】
【０００９】
【図１】本発明に係る一実施形態として示した蓋付カップ容器の縦断面図である。
【図２】図１に示す蓋付カップ容器の上面図である。
【図３】図１に示す蓋付カップ容器において、第１、第２シール材を破断し、ストローを挿通孔を通してカップ本体内に挿し込んだ状態を示す図である。
【発明を実施するための形態】
【００１０】
以下、図面を参照し、本発明の一実施形態に係る蓋付カップ容器１について説明する。
本実施形態の蓋付カップ容器１は、図１に示されるように、内容物が収容されるカップ本体１１と、カップ本体１１を覆う蓋体１２と、を備えている。カップ本体１１は有底筒状に形成され、蓋体１２は有頂筒状に形成されている。
カップ本体１１、及び蓋体１２それぞれの中心軸線は、共通軸と同軸に配置されている。以下、この共通軸を容器軸Ｏといい、容器軸Ｏ方向に沿う蓋体１２の頂壁部１７側を上側、カップ本体１１の底部１１ａ側を下側といい、また、容器軸Ｏに直交する方向を径方向といい、容器軸Ｏ回りに周回する方向を周方向という。
【００１１】
カップ本体１１の上端には、径方向の外側に向けて突出し、かつ全周にわたって連続して延びるフランジ部１１ｂが形成されている。このフランジ部１１ｂに第１シール材１３が固着されることによって、カップ本体１１の上端開口部１１ｃが封止されている。
なお、カップ本体１１の下部には、径方向の内側に向けて突出する支持突起１１ｄが、周方向に間隔をあけて複数形成されている。この支持突起１１ｄは、カップ本体１１内に、他のカップ本体１１が底部１１ａ側から挿入された状態で、他のカップ本体１１の底部１１ａの外周縁部を支持する。これにより、両カップ本体１１の密接を防止し、複数積み重ねられたカップ本体１１を個別に容易に取り出すことができる。
【００１２】
蓋体１２は、第１シール材１３を上方から覆っている。蓋体１２の内部が添加剤の収容される収容室１５となっている。蓋体１２の下端には、径方向の外側に向けて突出し、かつ全周にわたって連続して延びるフランジ部１２ａが形成されている。このフランジ部１２ａに第２シール材１６が固着されることによって、蓋体１２の下端開口部１２ｂが封止されている。
なお、蓋体１２の周壁部１４には、径方向の内側に向けて突出する支持突起１２ｃが、周方向に間隔をあけて複数形成されている。この支持突起１２ｃは、蓋体１２内に、他の蓋体１２が頂壁部１７側から挿入された状態で、他の蓋体１２の頂壁部１７の外周縁部１７ａを支持する。これにより、両蓋体１２の密接を防止し、複数積み重ねられた蓋体１２を個別に容易に取り出すことができる。
【００１３】
蓋体１２の頂壁部１７には、ストロー３０が挿通される挿通孔１８が形成されている。挿通孔１８は、収容室１５を介して第２シール材１６に向けて開口している。蓋体１２の頂壁部１７のうち、外周縁部１７ａは、外周縁部１７ａより径方向の内側に位置する内側部分１７ｂに対して上方に突出している。挿通孔１８は、頂壁部１７の内側部分１７ｂに形成されている。
挿通孔１８は、図２に示されるように、上面視で径方向に長い長方形状を呈しており、その長手方向の両端部のうちの一端部は、頂壁部１７における径方向の中央部、つまり容器軸Ｏ上に位置し、他端部は、頂壁部１７の内側部分１７ｂにおける外周部に位置している。挿通孔１８における長手方向の他端部は、径方向の外側に向かうに従い漸次、短手方向の長さが小さくなっており、上面視で径方向の外側に向けて尖る先鋭形状を呈している。
【００１４】
蓋体１２には、挿通孔１８内に配置されるとともに、上面視で径方向に長い長方形状を呈する板状に形成された切刃部材２３が備えられている。
切刃部材２３における長手方向の両端部のうち、一端部（基端部）がヒンジ部２１を介して蓋体１２に連結され、他端部（先端部）に第２シール材１６に向けて突出する刃部２２が形成されている。
切刃部材２３は、挿通孔１８よりわずかに小さく、かつ上面視形状は、挿通孔１８の上面視形状と同じとなっている。
【００１５】
切刃部材２３の外周縁部のうち、長手方向の一端に位置する部分が、ヒンジ部２１を介して蓋体１２に連結されている。ヒンジ部２１は、挿通孔１８の内周縁に連結されている。切刃部材２３及びヒンジ部２１それぞれの上面は、蓋体１２の頂壁部１７の内側部分１７ｂの上面と面一となっている。切刃部材２３の外周縁部のうち、長手方向の他端部に位置して上面視で先鋭形状を呈する部分２３ｂに、下方に向けて突出する刃部２２が形成されている。刃部２２の下端は下方に向けて尖っている。
【００１６】
切刃部材２３の上面には、ストロー３０の先端が係止される係止部２５が形成されている。係止部２５は、上面視で円形をなす凹部となっている。係止部２５は、切刃部材２３の上面における長手方向の他端部に形成されている。
蓋体１２の頂壁部１７には、挿通孔１８を切刃部材２３とともに上方から閉塞する第３シール材２７が配設されている。第３シール材２７は、頂壁部１７の内側部分１７ｂにおける全域にわたって配設されている。
なお、頂壁部１７に第３シール材２７が固着された蓋体１２は、例えば、第３シール材２７が配置されたキャビティ内に溶融樹脂を射出する、つまりインモールド成形等によって形成される。また、第３シール材２７は、少なくとも挿通孔１８を閉塞していれば、その大きさは適宜変更してもよい。また、第３シール材２７の外部から挿通孔１８を容易に視認できるようにするために、例えば、第３シール材２７に明示部等を設けてもよい。
【００１７】
ここで、本実施形態では、カップ本体１１と蓋体１２とを接続する接続部材３１が備えられている。
接続部材３１は、カップ本体１１及び蓋体１２それぞれのフランジ部１１ｂ、１２ａが挿入される外筒部３２と、外筒部３２から径方向の内側に向けて突出し、かつ全周にわたって連続して延びる環板部３３と、を備えている。
外筒部３２には、カップ本体１１のフランジ部１１ｂを、このフランジ部１１ｂの下側から支持する下側支持突部３２ａと、蓋体１２のフランジ部１２ａを、このフランジ部１２ａの上側から支持する上側支持突部３２ｂと、が形成されている。
【００１８】
環板部３３は、カップ本体１１及び蓋体１２それぞれのフランジ部１１ｂ、１２ａ同士の間に配置されている。
環板部３３の内周縁部には、容器軸Ｏ方向の両方向に突出し、第１、第２シール材１３、１６を支持する突起部３４が形成されている。
環板部３３における径方向の中間部には、カップ本体１１のフランジ部１１ｂを下方に向けて付勢する下付勢突起３５と、蓋体１２のフランジ部１２ａを上方に向けて付勢する上付勢突起３６と、が形成されている。
【００１９】
これらの両付勢突起３５、３６はそれぞれ、全周にわたって連続して延びる突条状体が、径方向に間隔をあけて複数配設されて構成されている。図示の例では、下付勢突起３５及び上付勢突起３６はそれぞれ、２つの突条状体を備えている。下付勢突起３５により、カップ本体１１のフランジ部１１ｂが、下側支持突部３２ａに圧接し、上付勢突起３６により、蓋体１２のフランジ部１２ａが、上側支持突部３２ｂに圧接している。下付勢突起３５及び上付勢突起３６は互いに同じ形状で同じ大きさとなっている。
【００２０】
以上説明したように、本実施形態による蓋付カップ容器１によれば、ストロー３０の先端を切刃部材２３の係止部２５に係止した状態で、図３に示されるように、ストロー３０を下方に向けて押し込むと、第３シール材２７が破断してストロー３０が挿通孔１８に挿し込まれながら、切刃部材２３がヒンジ部２１回りに下方に向けて回動し、刃部２２が第２シール材１６及び第１シール材１３をこの順に破断することにより、収容室１５内とカップ本体１１内とが連通し、収容室１５内の添加剤がカップ本体１１内に流入する。
【００２１】
このように、ストロー３０の先端で切刃部材２３を下方に押し込みながら、ストロー３０を挿通孔１８に挿し込む操作だけで、カップ本体１１の開封、及び添加剤の添加を双方ともに行うことが可能になり、優れた開封操作性を具備させることができる。
さらに、以上のような開封操作時に、ストロー３０の先端が切刃部材２３の係止部２５に係止されることから、切刃部材２３に対するストロー３０の先端の位置が安定することとなり、ストロー３０の下降移動に、切刃部材２３のヒンジ部２１回りの下方に向けた回動を確実に追従させることができる。
【００２２】
本発明は上記した実施の形態に限定されるものではなく、その趣旨を逸脱しない範囲で適宜変更可能である。
【００２３】
例えば前記実施形態では、カップ本体１１と蓋体１２とを接続する接続部材３１を備える構成を示したが、接続部材３１を有さず、蓋体１２がカップ本体１１の上端部に直接装着される構成を採用してもよい。
また、挿通孔１８及び切刃部材２３それぞれの上面視形状は、前記実施形態に限らず例えば、矩形状、円形状にするなど適宜変更してもよい。
また、係止部２５として、上面視で円形をなす凹部を示したが、上方に向けて突出する突部としてもよく、凹凸部としてもよく、さらに上面視形状は適宜変更してもよい。
また、下付勢突起３５及び上付勢突起３６を形成しなくてもよいし、下付勢突起３５及び上付勢突起３６を互いに異なる形状で異なる大きさとしてもよく、下付勢突起３５及び上付勢突起３６それぞれの突条状体を、周方向に断続的に点在若しくは延在させてもよい。
【００２４】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００２５】
１  蓋付カップ容器
１１  カップ本体
１１ｃ  上端開口部
１２  蓋体
１２ｂ  下端開口部
１３  第１シール材
１５  収容室
１６  第２シール材
１７  頂壁部
１８  挿通孔
２１  ヒンジ部
２２  刃部
２３  切刃部材
２５  係止部
３０  ストロー
【図１】
2015067288.tif 000003
【図２】
2015067288.tif 000004
【図３】
2015067288.tif 000005